(57)【要約】【課題】ＣＤＲ等の紙以外の非紙媒体へコピー画像を印刷することを防止し、読取部、記録部の起動等を行わない等、無駄な処理を行わずに、速やかに待機状態へ戻ることができ、また、非紙媒体供給手段が本体装置に装着されているために印刷処理ができない場合、本体装置側で印刷処理中止の理由を知ることができる画像形成装置を提供することを目的とするものである。【解決手段】通常のコピー処理の実行が選択された際に、非紙媒体供給手段が本体装置に装着されていることを、第１の監視手段が判断した場合には、その旨を表示手段が表示し、即座に通常のコピー処理を中止し、また、非紙媒体供給手段が本体装置に装着されているために印刷処理ができない旨の警告表示を、本体装置で行う画像形成装置である。【選択図】  図９
2004243672.tif 000002
【特許請求の範囲】
【請求項１】
画像データを紙媒体に印刷する印刷手段と；
上記印刷手段へ紙媒体を供給する紙媒体供給手段と；
紙以外の媒体である非紙媒体を上記印刷手段へ供給し、画像形成装置の本体装置に着脱可能である非紙媒体供給手段と；
上記非紙媒体供給手段が、上記本体装置に装着されているか否かを監視する第１の監視手段と；
原稿から画像データを読み取る読取手段と；
上記読取手段が読み取った画像データを、上記印刷手段に送信し、媒体に印刷させる第１の画像形成手段と；
外部に接続されている外部情報処理端末から画像データを受信し、この受信した画像データを、上記印刷手段に送信し、媒体に印刷させる第２の画像形成手段と；
上記第１の画像形成手段による画像形成の実行が選択された場合、上記非紙媒体供給手段が上記本体装置に装着されていることを、上記第１の監視手段が判断すると、上記第１の画像形成手段による画像形成を中止する制御手段と；
を有することを特徴とする画像形成装置。
【請求項２】
請求項１において、
通信回線を介して、相手先通信装置から送信された画像データを受信する受信手段と；
上記受信手段が受信した画像データを、媒体に印刷させる第３の画像形成手段と；
を有し、
上記制御手段は、上記第３の画像形成手段による画像形成の実行が指示された場合、上記非紙媒体供給手段が上記本体装置に装着されていることを、上記第１の監視手段が判断すると、上記第３の画像形成手段による画像形成を中止し、受信した画像データを上記本体装置内部の記憶媒体に保存する手段であることを特徴とする画像形成装置。
【請求項３】
請求項１において、
上記本体装置に着脱可能な記憶媒体内に格納されている画像データを読み出す読出手段と；
上記読出手段が読出した画像データを、媒体に印刷させる第４の画像形成手段と；
を有し、
上記制御手段は、上記第４の画像形成手段による画像形成の実行が選択された場合、上記非紙媒体供給手段が上記本体装置に装着されていることを、上記第１の監視手段が判断すると、上記第４の画像形成手段による画像形成を中止する手段であることを特徴とする画像形成装置。
【請求項４】
請求項３において、
上記印刷手段への媒体の供給を、上記紙媒体供給手段で行わせるか、上記非紙媒体供給手段で行わせるかを指示する指示手段を有し、
上記制御手段は、上記第１または第２または第４の画像形成手段によって画像形成を行う際に、上記非紙媒体供給手段で媒体の供給を行うことを、上記指示手段が指示した場合、上記非紙媒体供給手段が上記本体装置に装着されていないことを、上記第１の監視手段が判断すると、上記第１、２または４の画像形成手段による画像形成を中止する手段であり、また、上記第１、２または４の画像形成手段によって画像形成を行う際に、上記紙媒体供給手段で媒体の供給を行うことを、上記指示手段が指示した場合、上記非紙媒体供給手段が上記本体装置に装着されていることを、上記第１の監視手段が判断すると、上記第１、２または４の画像形成手段による画像形成を中止する手段であることを特徴とする画像形成装置。
【請求項５】
請求項１において、
上記非紙媒体供給手段が動作可能であるか否かを監視する第２の監視手段と；上記印刷手段への媒体の供給を、上記紙媒体供給手段で行わせるか、上記非紙媒体供給手段で行わせるかを指示する指示手段を有し、
上記制御手段は、上記第１、２または４の画像形成手段が画像形成する際に、上記非紙媒体供給手段で媒体の供給を行うことを、上記指示手段が指示した場合、上記非紙媒体供給手段が実行可能でないことを、上記第２の監視手段が判断すると、上記第１、２または４の画像形成手段による画像形成を中止する手段であることを特徴とする画像形成装置。
【請求項６】
請求項１において、
上記第１の監視手段による監視結果に対応した処理を、必要に応じて表示する表示手段が、上記本体装置に設けられていることを特徴とする画像形成装置。
【請求項７】
請求項５において、
上記第２の監視手段による監視結果に対応した処理を、必要に応じて表示する表示手段が、上記本体装置に設けられていることを特徴とする画像形成装置。
【発明の詳細な説明】
【０００１】
【発明の属する技術分野】
本発明は、紙媒体を印刷部に供給する紙媒体供給手段以外に、紙以外の媒体である非紙媒体を印刷部に供給する非紙媒体供給手段を具備する記録部を有する画像形成装置に関する。
【０００２】
【従来の技術】
近年、紙媒体を印刷部に供給するオートシートフィーダ等によって構成されている紙媒体供給手段と、それ以外に、ＣＤＲ（書き込み可能なコンパクトディスク）等、紙以外の媒体である非紙媒体を印刷部に供給する非紙媒体供給手段を有し、ＰＣ（パーソナルコンピュータ）等の情報処理端末によって加工したデータを非紙媒体に印刷することができるインクジェット方式のプリンタが知られている。
【０００３】
また、ＰＣ等の情報処理端末に接続可能であり、ＣＩＳ（コンタクトイメージセンサ）や、ＣＣＤ等によって構成される読取手段を有し、コピー、ＰＣプリント、ファクシミリ等の機能を実行可能な複合機が知られている。
【０００４】
そこで、ＣＤＲ等の紙以外の媒体である非紙媒体を、印刷部に供給する非紙媒体供給手段を有する記録装置（プリンタ）を、複合機に搭載することが考えられる。
【０００５】
【発明が解決しようとする課題】
コピー、ＰＣプリント、ファクシミリ等の機能を実行可能な複合機に、ＣＤＲ等の紙以外の媒体である非紙媒体を、印刷部に供給する非紙媒体供給手段を有する記録装置を搭載した場合、機能に応じて、紙媒体供給手段と非紙媒体供給手段とを使い分ける必要がある。
【０００６】
たとえば、通常のコピー処理や、ファクシミリ受信処理時に、非紙媒体供給手段が画像形成装置の本体装置に装着されていると、ファクシミリ受信画像等がＣＤＲ等、非紙媒体へ印刷される可能性がある。
【０００７】
また、通常、非紙媒体供給手段が、上記本体装置に装着されている場合、紙媒体供給手段で印刷動作を行おうとすると、機構上の問題から、紙ジャムが発生するので、印刷動作を実行できない。
【０００８】
したがって、通常のコピー処理やファクシミリ受信処理の開始時に、非紙媒体供給手段が、上記本体装置に装着されていると、コピー処理時には、読取部、記録部の起動を行わないようにし、ファクシミリ受信であれば、記録部に受信データを送らずに、本体装置の記憶媒体に記録する等、速やかに適切な処理を行い、ＣＤＲ等、非紙媒体への印刷を確実に防ぐように制御する必要がある。
【０００９】
また、非紙媒体供給手段によって、ＣＤＲ等の媒体に印刷しようとする場合には、非紙媒体供給手段が本体装置に装着されていなければ、速やかに処理を中止するように制御する必要がある。
【００１０】
さらに、非紙媒体供給手段が、ＣＤＲ等の媒体に印刷しようとする場合、非紙媒体供給手段が、画像処理装置の本体装置に装着されていたとしても、ＣＤＲ等の媒体が入ってない等、非紙媒体供給手段による印刷動作が正常に行われないと判断すると、速やかに処理を中止するように制御する必要がある。
【００１１】
本発明は、ＣＤＲ等の紙以外の非紙媒体へコピー画像を印刷することを防止し、読取部、記録部の起動等を行わない等、無駄な処理を行わずに、速やかに待機状態へ戻ることができ、また、非紙媒体供給手段が本体装置に装着されているために印刷処理ができない場合、本体装置側で印刷処理中止の理由を知ることができる画像形成装置を提供することを目的とするものである。
【００１２】
【課題を解決するための手段】
本発明は、通常のコピー処理の実行が選択された際に、非紙媒体供給手段が本体装置に装着されていることを、第１の監視手段が判断した場合には、その旨を上記表示手段が表示し、即座に通常のコピー処理を中止し、また、非紙媒体供給手段が本体装置に装着されているために印刷処理ができない旨の警告表示を、本体装置で行う画像形成装置である。
【００１３】
【発明の実施の形態および実施例】
［第１の実施例］
図１は、本発明の第１の実施例である画像形成装置１００の概略構成を示すブロック図である。
【００１４】
画像形成装置１００において、ＣＰＵ１０１は、システム制御部であり、画像形成装置１００の全体を制御する。
【００１５】
ＲＯＭ１０２は、ＣＰＵ１０１が実行する制御プログラムや、組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００１６】
ＲＡＭ１０３は、ＳＲＡＭ（ｓｔａｔｉｃ  ＲＡＭ）等で構成され、プログラム制御変数等を格納し、また、オペレータが登録した設定値や画像形成装置１００の管理データ等を格納し、各種ワーク用バッファ領域が設けられている。
【００１７】
画像メモリ１０４は、ＤＲＡＭ（ｄｙｎａｍｉｃ  ＲＡＭ）等で構成され、画像データを蓄積する。
【００１８】
データ変換部１０５は、キャラクタデータのＣＧ（ｃｏｍｐｕｔｅｒ  ｇｒａｐｈｉｃｓ）展開、画像データのプリントデータへの変換等を行う。
【００１９】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００２０】
操作表示部１０８は、数値入力キー、文字入力キー、ワンタッチ電話番号キー、モード設定キー、決定キー、取り消しキー等を備え、ユーザが画像送信相手先データの決定や設定データの登録動作を行うための操作部と、各種キー、ＬＥＤ（発光ダイオード）とＬＣＤ（液晶ディスプレイ）等によって構成され、オペレータによる各種入力操作や、画像形成装置１００の動作状況、ステータス状況の表示等を行う表示部である。
【００２１】
通信制御部１０９は、ＭＯＤＥＭ（変復調装置）や、ＮＣＵ（網制御装置）等によって構成されている。上記実施例では、通信制御部１０９は、アナログの通信回線（ＰＳＴＮ）１３１に接続され、Ｔ３０プロトコルでの通信制御、通信回線に対する発呼と着呼等の回線制御を行っている。
【００２２】
解像度変換処理部１１０は、画像データのミリ−インチ解像度変換等の解像度変換制御を行う。なお、解像度変換処理部１１０において、画像データの拡大縮小処理も可能である。
【００２３】
符号復号化処理部１１１は、画像形成装置１００で扱う画像データ（ＭＨ、ＭＲ、ＭＭＲ、ＪＢＩＧ、ＪＰＥＧ等）を、符号復号化処理し、拡大縮小処理を行う。
【００２４】
記録制御部１１２は、印刷される画像データに、図示しない画像処理制御部を介して、スムージング処理や、記録濃度補正処理、色補正等の各種画像処理を施し、高精細な画像データに変換し、ＵＳＢホスト制御部１１４に出力する。また、ＵＳＢホスト制御部１１４を制御することによって、定期的に記録部１１５の状態情報データを取得する役割も果たす。
【００２５】
ＵＳＢファンクション制御部１１３は、ＵＳＢインタフェースの通信制御を行い、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信し、逆に、外部の情報処理端末からのＵＳＢパケットを、データに変換し、ＣＰＵ１０１に送信する。
【００２６】
ＵＳＢホスト制御部１１４は、ＵＳＢ通信規格で定められたプロトコルで通信を行う制御部である。ＵＳＢ通信規格は、双方向のデータ通信を高速に行うことができる規格であり、１台のホスト（マスター）に、複数のハブまたはファンクション（スレーブ）を接続することができる。ＵＳＢホスト制御部１１４は、ＵＳＢ通信におけるホストの機能を有する。
【００２７】
記録部１１５は、レーザビームプリンタ、インクジェットプリンタ等によって構成されている印刷装置であり、カラー画像データ、またはモノクロ画像データを印刷部材に印刷する。ＵＳＢホスト制御部１１４との間で、ＵＳＢ通信規格で定められたプロトコルで通信し、特に、記録部１１５は、ファンクションの機能を有する。
【００２８】
ガイドセンサ１０は、非紙媒体供給手段を構成するＣＤＲガイドユニット２が装着されたことを検知するガイドセンサであり、マイクロＳＷで構成され、このセンサ出力は、ＣＰＵ１０１と記録部１１５との両方に入力される。
【００２９】
ＣＤＲ−Ｐセンサ１１は、非紙媒体供給手段を構成するＣＤＲトレイ３上のＣＤＲ４が印字位置に到達したこと等を検知するセンサであり、反射型フォトインタラプタで構成され、このセンサの出力は、記録部１１５に入力される。
【００３０】
本実施例においては、記録機能のＵＳＢ通信は、１対１の接続である。
【００３１】
上記構成要素１０１〜１０６、１０８〜１１４、１１７は、ＣＰＵ１０１が管理形態を用いるＣＰＵバス１２１を介して、相互に接続されている。
【００３２】
図２は、画像形成装置１００の全体図であり、ＣＤＲガイドユニット２と記録紙トレイ５とが装着されている状態を示す図である。
【００３３】
記録紙トレイ５は、記録紙を積載するものであり、一般には、オートシートフィーダと呼ばれ、記録紙を搬送する紙媒体供給手段の例である。ＣＤＲガイドユニット２は、ＣＤＲに画像形成装置１００が印字するためのものであり、非紙媒体供給手段の例である。
【００３４】
図３は、ＣＤＲトレイ３の全体図である。
【００３５】
図４は、ＣＤＲトレイ３にＣＤＲ４が搭載された状態を表す図である。
【００３６】
図５は、ＣＤＲトレイ３がＣＤＲガイドユニット２に挿入されている状態を示す図である。
【００３７】
ＣＤＲトレイ３は、ＣＤＲガイドユニット２が、本体に装着されると、本体のモータによって駆動され、前後に搬送される構造になっている。
【００３８】
図６は、ＣＤＲガイドユニット２、ＣＤＲトレイ３が本体に装着された場合の動作を説明する図である。
【００３９】
ＣＤＲガイドユニット２が本体に装着されると、本体に取り付けられているマイクロスイッチで構成されたガイドセンサ１０の接点が閉じ、出力が変化する。そして、ＣＤＲ４が乗せられたＣＤＲトレイ３が、ＣＤＲガイドユニット２に挿入されると、ＣＤＲトレイ３は、本体のモータによって駆動され、印字位置まで搬送される。この状態で、本体に取り付けられている反射型フォトインタラプタで構成されているＣＤＲ−Ｐセンサ１１は、ＣＤＲ４からの反射光を検知し、出力が変化する構造になっている。
【００４０】
図７は、記録紙への印字の紙パス（紙媒体供給手段）を示す断面図である。
【００４１】
記録紙トレイ５に積載された記録紙は、図７中、ａのパスで搬送され、ヘッド６の位置で印字され、排出される。
【００４２】
図８は、ＣＤＲ４への印字の記録媒体（ＣＤＲ）のパス（非紙媒体供給手段）を示す断面図である。
【００４３】
図７に示す状態から、ヘッド６が上に移動し、ＣＤＲトレイ３が通るスペースが作られる。図７中、左側から挿入されたＣＤＲ４を搭載したＣＤＲトレイ３は、まずは、右側の一番奥まで搬送され、その後に、ＣＤＲ４の印字領域に、ヘッド６の位置に印字しながら、左側に搬送される。
【００４４】
図７、図８からわかるように、基本的には、紙媒体供給手段も、非紙媒体供給手段も同じパスである。したがって、両方の供給手段を同時に使用することはできない。つまり、ＣＤＲガイドユニット２が装着された状態では、記録紙への印字はできない構造になっている。
【００４５】
次に、画像形成装置１００のコピー動作について説明する。
【００４６】
図９は、画像形成装置１００のコピー動作を示すフローチャートである。
【００４７】
ユーザからコピー動作開始の操作が行われると、まず、図２の全体図に示すように、図１に示すガイドセンサ１０からの信号を監視し、ＣＤＲガイドユニット２が画像形成装置１００に装着されているかどうかを判別する（ステップＳ９０１）。
【００４８】
ＣＤＲガイドユニット２が装着されていなければ、図１に示す記録部１１５が記録動作可能かどうかを判別する（ステップＳ９０２）。ＣＤＲガイドユニット２が画像形成装置１００に装着されていれば、コピー動作を実行することができない旨の表示を、図１に示す操作表示部１０８が行い（ステップＳ９１１）、ステップＳ９１３に移行する。ステップＳ９０２の判別結果によって、記録部１１５が記録動作可能であれば、図１に示す読取部１０７、読取制御部１０６を起動し、読取処理を開始する（ステップＳ９０３）。
【００４９】
記録動作可能でなければ、その旨を表す表示を、図１に示す操作表示部１０８が行い（ステップＳ９１２）、その後に、ステップＳ９１３に移行する。ステップＳ９１３では、記録タスクの終了や各種パラメータのクリア等のエラー終了処理を行う。
【００５０】
ステップＳ９０４では、ステップＳ９０３で読み取った画像データを、データ変換部１０５が、記録部で印刷可能なプリントデータへ変換等する。ステップＳ９０５では、図２に示す記録紙トレイ５等からなるオートシートフィーダから、記録紙を供給する旨の指示を、ＵＳＢインタフェースを介して、記録部１１５に送信する。ステップＳ９０６では、ステップＳ９０４で作成したプリントデータを、ＵＳＢインタフェースを介して、記録部１１５に送信する。
【００５１】
ステップＳ９０７では、ステップＳ９０６で送信されたプリントデータを、ＵＳＢインタフェースを介して、記録部１１５が受信し、オートシートフィーダから供給された記録紙に印刷処理する。ステップＳ９０８では、印刷処理中にエラーが発生したかどうかを監視し、記録紙無し、インク無し、記録紙ジャム等のリカバリ可能なエラーが発生すると、エラーからの復帰を促す表示や、キーの受付等のエラー処理（ステップＳ９０９）を行い、エラーから復帰すれば、ステップＳ９１０に移行する。
【００５２】
ステップＳ９１０では、全頁分のコピー動作が終了したかどうかを判断し、終了した場合には、終了処理を行い終了する。終了していない場合には、ステップＳ９０１に戻る。
【００５３】
［第２の実施例］
次に、本発明の第２の実施例である画像形成装置がファクシミリ受信する動作について説明する。
【００５４】
第２の実施例である画像形成装置の構成は、図１に示す画像形成装置１００と同様である。
【００５５】
図１０は、本発明の第２の実施例である画像形成装置がファクシミリ受信する動作を示すフローチャートである。
【００５６】
まず、通信回線１３１を介して、呼出信号（ＣＩ）が到来したかどうかを、図１の通信制御部１０９が監視し、呼出信号（ＣＩ）を検知したら、回線を閉結し、ＣＮＧ検知または無音検知に基づいて、ファクシミリ受信かどうかを判断（ステップＳ１００１）する。
【００５７】
ファクシミリ受信したと判断すれば、ファクシミリ通信手順を開始し、通信回線１３１から到来する画像データを受信（ステップＳ１００２）する。画像データを全て受信したら、通信回線を閉結し、受信処理を終了する。受信した画像データを、図１の符号復号化処理部１１１が復号化した後に、データ変換部１０５が、記録部で印刷可能なプリントデータへ変換等する（ステップＳ１００３）。
【００５８】
ステップＳ１００４では、図１に示すガイドセンサ１０からの信号を監視し、ＣＤＲガイドユニット２が画像形成装置１００に装着されているかどうかを判別する。ＣＤＲガイドユニット２が装着されていなければ、図１に示す記録部１１５が記録動作可能であるかどうかを判別する（ステップＳ１００５）。ＣＤＲガイドユニット２が画像形成装置１００に装着されていれば、コピー動作を実行することができない旨の表示を、図１に示す操作表示部１０８が行い（ステップＳ１０１０）、ステップＳ１０１２に移行する。
【００５９】
ステップＳ１００５の判別結果によって、記録部１１５が記録動作可能である場合、図２に示す記録紙トレイ５等からなるオートシートフィーダから記録紙を供給する旨の指示を、ＵＳＢインタフェースを介して、記録部１１５に送信する（ステップＳ１００６）。記録動作可能でない場合、その旨を表す表示を、図１に示す操作表示部１０８が行った（ステップＳ１０１１）後に、ステップＳ１０１２に移行する。ステップＳ１０１２では、ステップＳ１００３で作成されたプリントデータを、図１に示す画像メモリ１０４に蓄積する。
【００６０】
ステップＳ１００７では、ステップＳ１００３で作成したプリントデータを、ＵＳＢインタフェースを介して、記録部１１５に送信する。ステップＳ１００８では、ステップＳ１００７で送信されたプリントデータを、ＵＳＢインタフェースを介して、記録部１１５が受信し、オートシートフィーダから供給された記録紙に印刷処理する。ステップＳ１００９では、全データ処理が終了したかどうかを判断し、終了した場合、終了処理を行い、終了する。終了していない場合、ステップＳ１００４に戻る。
【００６１】
［第３の実施例］
次に、本発明の第３の実施例である画像形成装置のＰＣプリント処理について説明する。
【００６２】
第３の実施例である画像形成装置の構成は、図１に示す画像形成装置１００の構成と同様である。
【００６３】
図１１は、本発明の第３の実施例である画像形成装置のＰＣプリント処理を示すフローチャートである。
【００６４】
まず、図１のＵＳＢインタフェースを介して接続された外部情報端末から、プリントデータを受信したかどうかを監視し（ステップＳ１１０１）、受信したら、記録部１１５が記録動作可能状態かどうかを判断（ステップＳ１１０２）する。記録動作可能状態でなければ、エラー終了処理を行い、終了する。記録動作可能状態であれば、記録部１１５へプリントデータを送信する（ステップＳ１１０３）。
【００６５】
ステップＳ１１０４では、記録部１１５が送ったプリントデータを解析し、ＣＤＲへの印刷指示かどうかを判定する。ＣＤＲへの印刷指示であれば、ステップＳ１１０５へ移行し、ＣＤＲ以外（オートシートフィーダ）への印刷指示であれば、ステップＳ１１１３へ移行する。ステップＳ１１０５では、図１に示すガイドセンサ１０からの信号を監視し、ＣＤＲガイドユニット２が画像形成装置１００に装着されているかどうかを判別する。
【００６６】
ＣＤＲガイドユニット２が装着されていなければ、ＣＤＲガイドユニット２が装着されていない旨の警告表示を、図１に示す操作表示部１０８が行い（ステップＳ１１０６）、ＣＤＲガイドユニット２が装着されるまで待機する。
【００６７】
ＣＤＲガイドユニット２が装着されていれば、ＣＤＲガイドユニット２を起動（ステップＳ１１０７）する。ＣＤＲガイドユニット２が起動すると、図３に示すＣＤＲトレイ３が挿入されているかどうかを、図１に示すＣＤＲ−Ｐセンサ１１が、ＣＤＲトレイ３からの反射光を検知することによって、判定（ステップＳ１１０８）する。
【００６８】
ＣＤＲトレイ３が挿入されていなければ、ＣＤＲトレイ３が装着されていない旨の警告表示を、図１に示す操作表示部１０８が行い（ステップＳ１１０９）、ＣＤＲトレイ３が装着されるまで待機する。
【００６９】
ＣＤＲトレイ３が装着されていれば、ＣＤＲトレイ３を、画像形成装置１００内に引き込み、ＣＤＲトレイ３上にＣＤＲ４がセットされているかを、図１に示すＣＤＲ−Ｐセンサ１１が、ＣＤＲ４からの反射光を検知することによって、判定（ステップＳ１１１０）する。
【００７０】
ＣＤＲ４がＣＤＲトレイ３にセットされていなければ、ＣＤＲがセットされていない旨の警告表示を、図１に示す操作表示部１０８が行い（ステップＳ１１１１）、ＣＤＲ４がセットされるまで待機する。
【００７１】
ＣＤＲ４がＣＤＲトレイ３にセットされていれば、ＣＤＲへの印刷処理を開始（ステップＳ１１１２）し、プリントデータを全て印刷したら終了する。
【００７２】
ステップＳ１１１３では、図１に示すガイドセンサ１０からの信号を監視し、ＣＤＲガイドユニット２が画像形成装置１００に装着されているかどうかを判別する。ＣＤＲガイドユニット２が画像形成装置１００に装着されていれば、印刷処理が実行できない旨の表示を、図１に示す操作表示部１０８によって行う（ステップＳ１１１４）。
【００７３】
ＣＤＲガイドユニット２が画像形成装置１００に装着されていなければ、記録紙トレイ５から構成されるオートシートフィーダを起動し（ステップＳ１１１５）、給紙を開始する。ステップＳ１１１６では、起動したオートシートフィーダによって給紙が正常に行われたかどうかを判定し、記録紙が存在しないと判断されれば、その旨の警告表示を、図１に示す操作表示部１０８が行い（ステップＳ１１１７）、記録紙有りと判定されるまで待機する。記録紙が有りと判断されれば、記録紙印刷処理（ステップＳ１１１８）を行う。
【００７４】
ステップＳ１１１９では、記録部に関するエラーが発生したかどうかを判定し、インク無しエラー、記録紙ジャムエラー等のリカバリ可能なエラーが発生した場合には、その旨を表す表示を、図１に示す操作表示部１０８が行い（ステップＳ１１２０）、エラーが解除されるまで待機する。エラーが解除されれば、次頁用の未印字データがあるかどうかを判定（ステップＳ１１２１）し、未印字データが有れば、ステップＳ１１１３へ戻り、全てのデータを印刷した場合には、終了する。
【００７５】
［第４の実施例］
次に、本発明の第４の実施例である画像形成装置のメモリカードプリント処理について説明する。
【００７６】
第４の実施例である画像形成装置の構成は、図１に示す画像形成装置１００の構成と同様である。
【００７７】
図１２は、本発明の第４の実施例である画像形成装置のメモリカードプリント処理を示すフローチャートである。
【００７８】
ユーザからメモリカードプリント開始の操作が行われた場合、まず、図２の全体図に示すように、図１のガイドセンサ１０からの信号を監視してＣＤＲガイドユニット２が画像形成装置１００に装着されているかどうかを判別する（ステップＳ１２０１）。ＣＤＲガイドユニット２が装着されていない場合には、図１の記録部１１５が記録動作可能かどうかを判別する（ステップＳ１２０２）。ＣＤＲガイドユニット２が装着されている場合には、ＣＤＲガイドユニットが画像形成装置に装着されているためコピー動作が実行できない旨の表示を図１の操作表示部１０８によって行い（ステップＳ１２１２）、ステップＳ１２１４に移行する。
【００７９】
ステップＳ１２０２の判別結果によって記録部１１５が記録動作可能な場合には、図１のメモリカードデバイス部１１６に挿入されているメモリカード内の画像データをメモリカード制御部１１７の制御によってＵＳＢインタフェースを介して取得する（ステップＳ１２０３）。記録動作可能でない場合にはその旨を表す表示を図１の操作表示部１０８によって行った（ステップＳ１２１３）後、ステップＳ１２１４に移行する。
【００８０】
ステップＳ１２０４では、画像データの取得が正常に行われたかどうかを判定し、正常に行われた場合にはステップＳ１２０５へ移行する。メモリカードが挿入されていない場合や、メモリカード内の画像データが壊れていた場合、メモリカードデバイスの不具合などで画像データが正常に取得できなかった場合にステップＳ１２１４に移行する。
【００８１】
ステップＳ１２１４では、記録タスクの終了や各種パラメータのクリアなどのエラー終了処理を行う。ステップＳ１２０５では、データ変換部１０５によってステップＳ１２０３で取得した画像データを記録部で印刷可能なプリントデータへの変換などを行う。
【００８２】
ステップＳ１２０６では、図２に示す記録紙トレイ５などからなるＡＳＦから記録紙を供給する旨の指示をＵＳＢインタフェースを介して記録部１１５に送信する。ステップＳ１２０７では、ステップＳ１２０５で作成したプリントデータをＵＳＢインタフェースを介して記録部１１５に送信する。ステップＳ１２０８では、ステップＳ１２０７で送信されたプリントデータをＵＳＢインタフェースを介して記録部１１５が受信し、ＡＳＦから供給された記録紙に印刷処理を行う。
【００８３】
ステップＳ１２０９では、印刷処理中にエラーが発生したかどうかを監視し、記録紙無しやインク無しや記録紙ジャムなどのリカバリ可能なエラーが発生した場合には、エラーからの復帰を促す表示やキーの受付などのエラー処理（ステップＳ１２１０）を行い、エラーから復帰した場合にはステップＳ１２１１に移行する。ステップＳ１２１１では、全頁分のコピー動作が終了したかどうかを判断し、終了した場合には終了処理を行い終了する。終了していない場合にはステップＳ１２０１に戻る。
【００８４】
上記実施例によれば、通常のコピー処理の実行が選択された際に、第１の監視手段によって非紙媒体供給手段が本体装置に装着されていると判断された場合には、その旨を上記表示手段によって表示し、即座に通常のコピー処理を中止するので、ＣＤＲ等の紙以外の非紙媒体へコピー画像を印刷することを防止し、読取部、記録部の起動等を行わない等、無駄な処理を行わずに、速やかに待機状態へ戻ることができ、また、非紙媒体供給手段が本体装置に装着されているために印刷処理ができない旨の警告表示を、本体装置で行うので、本体装置側で印刷処理中止の理由を知ることができる。
【００８５】
また、上記実施例によれば、本体装置にファクシミリ機能が搭載されている場合、ファクシミリ受信が発生したときに、上記第１の監視手段によって非紙媒体供給手段が本体装置に装着されていると判断されると、ファクシミリ受信画像データを記録部に送らずに、本体装置内部の記憶媒体に記録するので、速やかで確実にファクシミリ受信画像を保存し、ファクシミリ受信画像データをＣＤＲ等の紙以外の媒体へ印刷することを防ぐことができ、また、本体装置から非紙媒体供給手段が外された場合、紙媒体供給手段によって紙媒体へファクシミリ受信画像データを印刷することができる。
【００８６】
さらに、上記実施例によれば、本体装置に着脱可能なメモリカード等の記憶媒体内の画像データを読み出す読出機能が搭載されている場合、本体装置に装着された記憶媒体内の画像データの印刷の実行が選択されると、上記第１の監視手段によって非紙媒体供給手段が本体装置に装着されていると判断されれば、記憶媒体内の画像データの印刷を中止するので、ＣＤＲ等の非紙媒体へコピー画像を印刷することを防止することができ、読取部、記録部の起動等行わない等、無駄な処理を行わずに速やかに待機状態へ戻ることができる。
【００８７】
そして、上記実施例によれば、上記印刷手段への媒体の供給を、上記紙媒体供給手段で行わせるか、非紙媒体供給手段で行わせるかを指示する指示手段を有し、読取部や本体装置に装着されている記憶媒体から読み取った画像データや、外部接続されたＰＣから送られたプリントデータを印刷する際に、非紙媒体供給手段で媒体の供給を行うことを、上記指示手段が指示した場合であって、上記非紙媒体供給手段が本体装置に装着されていないことを、上記第１の監視手段が判断した場合、読取部の起動や記憶媒体からの読出しを中止し、外部接続されたＰＣからのプリントデータの印刷を中止するので、意図しない媒体への印刷を防ぐことができる。
【００８８】
また、上記実施例によれば、読取部や本体装置に装着されている記憶媒体から読み取った画像データや、外部接続されたＰＣからのプリントデータを印刷する際に、紙媒体供給手段で媒体の供給を行うことを、上記指示手段が指示した場合であって、上記非紙媒体供給手段が本体装置に装着されていることを、上記第１の監視手段が判断した場合には、読取部の起動や記憶媒体からの読出しを中止し、外部接続されたＰＣからのプリントデータの印刷を中止するので、意図しない媒体への印刷を防ぐことがきる。
【００８９】
さらに、上記実施例によれば、上記非紙媒体供給手段にＣＤＲ等の媒体が入っていない等、供給動作可能かどうかを監視する第２の監視手段と、上記第２の監視結果に応じて本体装置上に警告表示を行う表示手段とを有し、読取部や本体装置に装着された記憶媒体から読み取った画像データや、外部接続されたＰＣからのプリントデータを印刷する際に、非紙媒体供給手段で媒体の供給を行うことを、上記指示手段が指示した場合であって、上記非紙媒体供給手段が本体装置に装着されていることを、上記第１の監視手段が検出した場合でも、上記非紙媒体供給手段が動作可能でないことを、上記第２の監視手段が検出した場合には、読取部の起動や記憶媒体からの読出しを中止し、ＰＣからのプリントデータの印刷を中止し、動作可能でない状態に対応した警告表示を本体装置で行うので、動作可能でない理由を、本体装置側で知ることができ、また、ＣＤＲ等の媒体を挿入等の対応をユーザに促すことができる。
【００９０】
【発明の効果】
本発明によれば、通常のコピー処理の実行が選択された際に、第１の監視手段によって非紙媒体供給手段が本体装置に装着されていると判断された場合には、その旨を上記表示手段によって表示し、即座に通常のコピー処理を中止するので、ＣＤＲ等の紙以外の非紙媒体へコピー画像を印刷することを防止し、読取部、記録部の起動等を行わない等、無駄な処理を行わずに、速やかに待機状態へ戻ることができ、また、非紙媒体供給手段が本体装置に装着されているために印刷処理ができない旨の警告表示を、本体装置で行うので、本体装置側で印刷処理中止の理由を知ることができるという効果を奏する。
【図面の簡単な説明】
【図１】本発明の第１の実施例である画像形成装置１００の概略構成を示すブロック図である。
【図２】画像形成装置１００の全体図であり、ＣＤＲガイドユニット２と記録紙トレイ５とが装着されている状態を示す図である。
【図３】ＣＤＲトレイ３の全体図である。
【図４】ＣＤＲトレイ３にＣＤＲ４が搭載された状態を表す図である。
【図５】ＣＤＲトレイ３がＣＤＲガイドユニット２に挿入されている状態を示す図である。
【図６】ＣＤＲガイドユニット２、ＣＤＲトレイ３が本体に装着された場合の動作を説明する図である。
【図７】記録紙への印字の紙パス（紙媒体供給手段）を示す断面図である。
【図８】ＣＤＲ４への印字の記録媒体（ＣＤＲ）のパス（非紙媒体供給手段）を示す断面図である。
【図９】画像形成装置１００のコピー動作を示すフローチャートである。
【図１０】本発明の第２の実施例である画像形成装置がファクシミリ受信する動作を示すフローチャートである。
【図１１】本発明の第３の実施例である画像形成装置のＰＣプリント処理を示すフローチャートである。
【図１２】本発明の第４の実施例である画像形成装置のメモリカードプリント処理を示すフローチャートである。
【符号の説明】
１００…画像形成装置、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…ＵＳＢファンクション制御部、
１１４…ＵＳＢホスト制御部、
１１５…記録部、
１１６…メモリカードデバイス部、
１１７…メモリカード制御部。
【図１】
2004243672.tif 000003
【図２】
2004243672.tif 000004
【図３】
2004243672.tif 000005
【図４】
2004243672.tif 000006
【図５】
2004243672.tif 000007
【図６】
2004243672.tif 000008
【図７】
2004243672.tif 000009
【図８】
2004243672.tif 000010
【図９】
2004243672.tif 000011
【図１０】
2004243672.tif 000012
【図１１】
2004243672.tif 000013
【図１２】
2004243672.tif 000014
【手続補正書】
【提出日】平成15年11月28日(2003.11.28)
【手続補正２】
【補正対象書類名】明細書
【補正対象項目名】特許請求の範囲
【補正方法】変更
【補正の内容】
【特許請求の範囲】
【請求項１】
画像データを紙媒体に印刷する印刷手段と；
上記印刷手段へ紙媒体を供給する紙媒体供給手段と；
紙以外の媒体である非紙媒体を上記印刷手段へ供給し、画像形成装置の本体装置に着脱可能である非紙媒体供給手段と；
上記非紙媒体供給手段が、上記本体装置に装着されているか否かを監視する第１の監視手段と；
原稿から画像データを読み取る読取手段と；
上記読取手段が読み取った画像データを、上記印刷手段に送信し、媒体に印刷させる第１の画像形成手段と；
外部に接続されている外部情報処理端末から画像データを受信し、この受信した画像データを、上記印刷手段に送信し、媒体に印刷させる第２の画像形成手段と；
上記第１の画像形成手段による画像形成の実行が選択された場合、上記非紙媒体供給手段が上記本体装置に装着されていることを、上記第１の監視手段が判断すると、上記第１の画像形成手段による画像形成を中止する制御手段と；
を有することを特徴とする画像形成装置。
【請求項２】
請求項１において、
通信回線を介して、相手先通信装置から送信された画像データを受信する受信手段と；
上記受信手段が受信した画像データを、媒体に印刷させる第３の画像形成手段と；
を有し、
上記制御手段は、上記第３の画像形成手段による画像形成の実行が指示された場合、上記非紙媒体供給手段が上記本体装置に装着されていることを、上記第１の監視手段が判断すると、上記第３の画像形成手段による画像形成を中止し、受信した画像データを上記本体装置内部の記憶媒体に保存する手段であることを特徴とする画像形成装置。
【請求項３】
請求項１において、
上記本体装置に着脱可能な記憶媒体内に格納されている画像データを読み出す読出手段と；
上記読出手段が読出した画像データを、媒体に印刷させる第４の画像形成手段と；
を有し、
上記制御手段は、上記第４の画像形成手段による画像形成の実行が選択された場合、上記非紙媒体供給手段が上記本体装置に装着されていることを、上記第１の監視手段が判断すると、上記第４の画像形成手段による画像形成を中止する手段であることを特徴とする画像形成装置。
【請求項４】
請求項３において、
上記印刷手段への媒体の供給を、上記紙媒体供給手段で行わせるか、上記非紙媒体供給手段で行わせるかを指示する指示手段を有し、
上記制御手段は、上記第１または第２または第４の画像形成手段によって画像形成を行う際に、上記非紙媒体供給手段で媒体の供給を行うことを、上記指示手段が指示した場合、上記非紙媒体供給手段が上記本体装置に装着されていないことを、上記第１の監視手段が判断すると、上記第１、２または４の画像形成手段による画像形成を中止する手段であり、また、上記第１、２または４の画像形成手段によって画像形成を行う際に、上記紙媒体供給手段で媒体の供給を行うことを、上記指示手段が指示した場合、上記非紙媒体供給手段が上記本体装置に装着されていることを、上記第１の監視手段が判断すると、上記第１、２または４の画像形成手段による画像形成を中止する手段であることを特徴とする画像形成装置。
【請求項５】
請求項１において、
上記非紙媒体供給手段が動作可能であるか否かを監視する第２の監視手段と；
上記印刷手段への媒体の供給を、上記紙媒体供給手段で行わせるか、上記非紙媒体供給手段で行わせるかを指示する指示手段を有し、
上記制御手段は、上記第１、２または４の画像形成手段が画像形成する際に、上記非紙媒体供給手段で媒体の供給を行うことを、上記指示手段が指示した場合、上記非紙媒体供給手段が実行可能でないことを、上記第２の監視手段が判断すると、上記第１、２または４の画像形成手段による画像形成を中止する手段であることを特徴とする画像形成装置。
【請求項６】
請求項１において、
上記第１の監視手段による監視結果に対応した処理を、必要に応じて表示する表示手段が、上記本体装置に設けられていることを特徴とする画像形成装置。
【請求項７】
請求項５において、
上記第２の監視手段による監視結果に対応した処理を、必要に応じて表示する表示手段が、上記本体装置に設けられていることを特徴とする画像形成装置。
【請求項８】
所定の印刷手段が、画像データを紙媒体に印刷する印刷段階と；
上記印刷手段へ紙媒体を供給する紙媒体供給段階と；
紙以外の媒体である非紙媒体を上記印刷手段へ供給し、画像形成装置の本体装置に着脱可能である非紙媒体供給手段が、上記本体装置に装着されているか否かを監視する第１の監視段階と；
原稿から画像データを読み取る読取手段が読み取った画像データを、上記印刷手段に送信し、媒体に印刷させる第１の画像形成段階と；
外部に接続されている外部情報処理端末から画像データを受信し、この受信した画像データを、上記印刷手段に送信し、媒体に印刷させる第２の画像形成段階と；
上記第１の画像形成段階で画像形成の実行が選択された場合、上記非紙媒体供給手段が上記本体装置に装着されていることを、上記第１の監視段階で判断すると、上記第１の画像形成段階による画像形成を中止する制御段階と；
を有することを特徴とする画像形成方法。